(57)【要約】【課題】  本発明は魚釣用リールに係り、フカセ釣りをする場合に、魚が掛かった前回のポイントを認識可能として釣果の向上を図ると共に、バックラッシュ現象等のトラブルを未然に回避することのできる魚釣用リールを提供することを目的とする。【解決手段】  リール本体の側板間に回転自在に支持されたスプールと、釣糸の繰出しと巻取りで回転する回転体の回転方向と回転数を検出する回転検出手段と、当該回転検出手段の検出値に基づき釣糸の繰出し量を計測して、糸長計測値をリール本体に装着した表示器に表示させる糸長計測手段とを備えた魚釣用リールに於て、上記スプールの釣糸繰出し状態から釣糸巻取り状態への状態変化に伴い、上記糸長計測手段で計測された糸長計測値を魚信位置として記憶手段に記憶させると共に、上記表示器に当該糸長計測値を魚信位置情報として表示可能としたことを特徴とする。【選択図】    図５
2005160448.tif 000002
【特許請求の範囲】
【請求項１】
リール本体の側板間に回転自在に支持されたスプールと、
釣糸の繰出しと巻取りで回転する回転体の回転方向と回転数を検出する回転検出手段と、
当該回転検出手段の検出値に基づき釣糸の繰出し量を計測して、糸長計測値をリール本体に装着した表示器に表示させる糸長計測手段とを備えた魚釣用リールに於て、
上記スプールの釣糸繰出し状態から釣糸巻取り状態への状態変化に伴い、上記糸長計測手段で計測された糸長計測値を魚信位置として記憶手段に記憶させると共に、
上記表示器に当該糸長計測値を魚信位置情報として表示可能としたことを特徴とする魚釣用リール。
【請求項２】
スプールの釣糸巻取り状態への状態変化の検出は、当該スプールを釣糸繰出し状態と釣糸巻取り状態とに切り換えるクラッチ機構の切換え動作の検出によって行うことを特徴とする請求項１に記載の魚釣用リール。
【請求項３】
スプールの釣糸巻取り状態への状態変化の検出は、回転検出手段で検出するスプールの釣糸巻取り方向への所定回転数の計測によって行うことを特徴とする請求項１に記載の魚釣用リール。
【発明の詳細な説明】
【技術分野】
【０００１】
本発明は、リール本体の側板間にスプールを回転自在に支持した魚釣用リールに関する。
【背景技術】
【０００２】
両軸受リールや電動リール等、リール本体の側板間にスプールを回転自在に支持した魚釣用リールに於ては、仕掛けを所望の位置へ繰り出す場合、クラッチ機構をＯＦＦ操作してスプールを釣糸繰出し状態（フリー回転状態）にしてから繰出し操作を行っている。
ところで、従来、釣法の一つとして「フカセ釣法」が知られている。
これは、クラッチ機構をＯＦＦ操作してスプールを釣糸繰出し状態にした後、潮の流れに乗せて仕掛けを根に向けて流していく釣法で、仕掛けを流れに乗せて繰り出している最中に魚が掛かると、釣人は針掛かりをさせるためにクラッチ機構をＯＦＦの繰出し状態からＯＮの巻取り状態に切換え操作した後、直ちに釣糸の巻取り操作を行って魚の取り込みを行う。
【０００３】
そして、繰り返してフカセ釣りを行うため、クラッチ機構をＯＦＦ操作して仕掛けを繰り出す操作を再度行うもので、特許文献１に開示されるようにスプールへの動力伝達状態をＯＮ／ＯＦＦに切り換えるクラッチ機構や、釣糸（仕掛け）の繰出し量を計測表示する糸長計測装置を備えた両軸受リールや電動リール等の魚釣用リールが広く使用されている。
【特許文献１】特許第２９７８０７７号公報
【発明の開示】
【発明が解決しようとする課題】
【０００４】
しかし乍ら、従来のこの種の魚釣用リールでは、魚が掛かった前回のポイントが解らないため、釣人は効率的に同じポイントを攻めることができず、良好な釣果を得ることができないのが実情であった。
また、斯様にポイントが認識できていないことから、魚の掛かるタイミングが予測できず、このため、不意に魚が掛かって走られてバックラッシュ現象が発生してしまうことがあり、ポイントを認識できていないためにこのようなトラブルを未然に回避することができなかった。
【０００５】
本発明は斯かる実情に鑑み案出されたもので、フカセ釣りをする場合に、魚が掛かった前回のポイントを認識可能として釣果の向上を図ると共に、バックラッシュ現象等のトラブルを未然に回避することのできる魚釣用リールを提供することを目的とする。
【課題を解決するための手段】
【０００６】
斯かる目的を達成するため、請求項１に係る発明は、リール本体の側板間に回転自在に支持されたスプールと、釣糸の繰出しと巻取りで回転する回転体の回転方向と回転数を検出する回転検出手段と、当該回転検出手段の検出値に基づき釣糸の繰出し量を計測して、糸長計測値をリール本体に装着した表示器に表示させる糸長計測手段とを備えた魚釣用リールに於て、上記スプールの釣糸繰出し状態から釣糸巻取り状態への状態変化に伴い、上記糸長計測手段で計測された糸長計測値を魚信位置として記憶手段に記憶させると共に、上記表示器に当該糸長計測値を魚信位置情報として表示可能としたことを特徴とする。
【０００７】
そして、請求項２に係る発明は、請求項１に記載の魚釣用リールに於て、スプールの釣糸巻取り状態への状態変化の検出は、当該スプールを釣糸繰出し状態と釣糸巻取り状態とに切り換えるクラッチ機構の切換え動作の検出によって行うことを特徴とし、請求項３に係る発明は、請求項１に記載の魚釣用リールに於て、スプールの釣糸巻取り状態への状態変化の検出は、回転検出手段で検出するスプールの釣糸巻取り方向への所定回転数の計測によって行うことを特徴とする。
【発明の効果】
【０００８】
各請求項に係る発明によれば、フカセ釣りを行う際に、魚が掛かった前回のポイントが確認できるため、効率的に同じポイントを繰り返し攻めることが可能となって、従来に比し釣果が向上する利点を有する。
而も、このように魚が掛かった前回のポイントが明瞭となるため、魚の掛かるタイミングを予測でき、この結果、バックラッシュ現象等に対する心構え，準備ができることとなって、トラブルを未然に回避することができる利点を有する。
【発明を実施するための最良の形態】
【０００９】
以下、本発明の実施形態を図面に基づいて詳細に説明する。
図１は請求項１及び請求項２の一実施形態に係る魚釣用リールを示し、図中、１はリール本体３のフレーム、５，７は当該フレーム１の左右に取り付く側板で、両側板５，７間にスプール軸を介してスプール９が回転可能に支持されている。
スプール９は、スプールモータ１１の駆動やハンドル１３の巻取り操作で回転して釣糸が巻回されるようになっており、スプールモータ１１はスプール９前方のフレーム１に一体成形された筒状のモータケース内に収容されている。
【００１０】
そして、側板７の上部前方には、特許第２９７７９７８号公報で開示された魚釣用リールと同様、スプールモータ１１のモータ出力を調節するレバー形状のモータ出力調節体（以下、「パワーレバー」という）１５がハンドル１３と同方向へ回転操作可能に取り付けられており、当該パワーレバー１５の操作で、制御ボックス１７内に装着した図２のマイクロコンピュータ（制御手段）１９が、モータ駆動回路２１を介してスプールモータ１１のモータ出力をモータ停止状態から最大値（０〜１００％）まで連続的に増減して、スプール９の巻取り速度を制御するようになっている。
【００１１】
また、図１に示すようにスプール９後方の側板５，７間にはクラッチレバー２３が上下方向へ移動可能に取り付けられており、当該クラッチレバー２３の下方への移動操作で、これに連結される側板７内のクラッチ機構が釣糸巻取り状態（クラッチＯＮ）から釣糸繰出し状態（クラッチＯＦＦ）に切り換わるようになっている。そして、この釣糸繰出し状態でハンドル１３を巻取り方向に回転させると、図示しない従来周知の復帰機構を介してクラッチ機構が釣糸巻取り状態に復帰するようになっている。
【００１２】
そして、このクラッチ機構のクラッチＯＮ／ＯＦＦによって、スプール９が釣糸巻取り状態と釣糸繰出し状態とに切り換わり、スプール９へのスプールモータ１１やハンドル１３による動力伝達が伝達／遮断されるように構成されている。
一方、図１中、２５はスプール９の回転方向と回転数を検出する回転検出手段で、当該回転検出手段２５は、反ハンドル側のフレーム１に装着された一対のリードスイッチ２７と、これに対向してスプール９の一端側周縁部に固着された複数のマグネット２９とで構成されており、リードスイッチ２７はマイクロコンピュータ１９のＣＰＵに接続されている。
【００１３】
而して、マイクロコンピュータ１９のＲＯＭには、特開平５−１０３５６７号公報で開示された糸長計測装置と同様のプログラムが組み込まれており、ＣＰＵは、リードスイッチ２７から出力されるスプール９の正転，逆転の判定信号を取り込んで釣糸の繰出しか巻取りかを判定すると共に、リードスイッチ２７から取り込むスプール９の回転パルス信号をカウントし、この計数値を基に上記プログラムに従い糸長（釣糸の繰出し量）を求めるようになっている。
【００１４】
そして、図２に示すようにＣＰＵは、表示駆動回路３１を介してその糸長計測値（演算結果）を、制御ボックス１７の操作パネル３３上に設けた液晶表示器（以下、「表示器」という）３５に表示させるようになっており、釣人は斯かる表示を確認し乍ら、所定の水深に仕掛けを繰り出したり、ハンドル１３やパワーレバー１５、また、後述する寸動スイッチ４２の操作で釣糸を巻き取ることができる。
【００１５】
また、図１に示すように操作パネル３３上には、表示器３５に隣接してリセットスイッチ３７やモード切換えスイッチ３９，棚メモスイッチ４１，寸動スイッチ４２等が装着されており、これらはマイクロコンピュータ１９に接続されている。そして、当該寸動スイッチ４２の操作でスプールモータ１１が駆動して、微妙な棚位置調整やシャクリ操作ができるようになっている。
【００１６】
更にまた、図３に示すように上記モード切換えスイッチ３９の操作で、マイクロコンピュータ１９が「通常実釣モード」と後述する「フカセ釣りモード」に順次切り換わるようになっている。
即ち、既述したようにマイクロコンピュータ１９は、リードスイッチ２７から取り込むスプール９の回転パルス信号をカウントし、この計数値を基に糸長を求めてこれを表示器３５に表示させるが、表示器３５には、水面からの仕掛けの繰出し量（水深）を表示する上カラ表示部４３と、棚からの仕掛けの距離を表示する棚カラ表示部４５が上下２段に並設されている。
【００１７】
そして、釣糸が竿先から水面まで繰り出された処で釣人がリセットスイッチ３７を操作すると、マイクロコンピュータ１９のＣＰＵは、上カラ表示部４３の表示値を「０．０」にリセットさせるようになっている。
この後、釣人が釣糸を繰り出していくと、ＣＰＵで求められた糸長が上カラ表示部４３に表示され、そして、釣糸が例えば９５．５ｍ繰り出された処で釣人が棚メモスイッチ４１を操作すると、棚カラ表示部４５に「０．０」が表示されて棚位置が設定され、以後、図４に示すように棚位置から例えば１５ｍの釣糸の巻取りに伴う仕掛けの距離と水面からの繰出し量が、棚カラ表示部４５と上カラ表示部４３に夫々表示されるようになっている。
【００１８】
従って、この「通常実釣モード」では、通常通り、クラッチレバー２３をクラッチＯＦＦ操作して釣糸をスプール９から繰り出した後、棚位置でハンドル１３を巻取り方向へ回転させてクラッチ機構を釣糸巻取り状態に切り換えればよく、魚の当たりが合った場合に、ハンドル１３の巻取り操作やパワーレバー１５，寸動スイッチ４２等の操作で釣糸をスプール９に巻き取っていけばよい。
【００１９】
一方、本実施形態に係る魚釣用リール４７を用いてフカセ釣法をする場合には、既述したモード切換えスイッチ３９を操作して、図３の如くマイクロコンピュータ１９を「通常実釣モード」から「フカセ釣りモード」に切り換えればよく、斯様に「フカセ釣りモード」に設定すると、表示器３５の所望位置に「フカセ」の文字が表示されるようになっている。
【００２０】
而して、この「フカセ釣りモード」に於ても、マイクロコンピュータ１９のＣＰＵは、リードスイッチ２７から取り込むスプール９の回転パルス信号をカウントし、この計数値を基に糸長を求めてこれを上カラ表示部４３に表示させるが、棚カラ表示部４５は、「フカセ釣りモード」への切換えに伴い「０．０」にリセットされるようになっている。
また、クラッチレバー２３に連動する側板７内の図示しないクラッチ機構の連結部材にマグネットが装着されると共に、ハンドル側のフレーム１に、当該マグネットでＯＮ／ＯＦＦするリードスイッチ（図２中、４９）が装着されており、「フカセ釣りモード」に於て、仕掛けを潮の流れに乗せて繰り出している最中に、例えば繰出し量１００ｍの処で魚が掛かって、釣人がハンドル１３を巻取り方向へ回転させてクラッチ機構を釣糸繰出し状態から釣糸巻取り状態に切り換えると、上記リードスイッチ４９がマグネットでＯＮとなって、その検出信号がマイクロコンピュータ１９のＣＰＵに入力されるようになっている。
【００２１】
そして、マイクロコンピュータ１９のＣＰＵは、リードスイッチ４９の検出信号を入力した時点、即ち、クラッチ機構がクラッチＯＮとなった時点（スプール９の釣糸巻取り状態への状態変化の検出時点）の糸長計測値（繰出し量１００ｍ）を、魚信位置としてマイクロコンピュータ１９のＲＡＭに記憶させると共に、図５の如く棚カラ表示部４５に当該糸長計測値を魚信位置情報として点滅表示させるようになっている。
【００２２】
尚、図５は、繰出し量１００ｍで魚が掛かって釣糸を１９．５ｍ巻き取った際の表示器３５の表示状態を示している。
そして、この魚信位置情報は、クラッチレバー２３をＯＦＦ操作して再度仕掛けを繰り出した後、魚が掛かって釣人がハンドル１３を巻取り方向へ回転させてクラッチ機構をクラッチＯＮに切換え操作する度に順次更新されていくようになっている。
【００２３】
本実施形態に係る魚釣用リール４７はこのように構成されているから、通常の釣りに代えてフカセ釣法をする場合、モード切換えスイッチ３９の操作でマイクロコンピュータ１９を「通常実釣モード」から「フカセ釣りモード」に切り換えればよく、このモードの切換えに伴い、棚カラ表示部４５は「通常実釣モード」での表示が「０．０」にリセットされ、表示器３５の所望位置に「フカセ」の文字が表示される。
【００２４】
尚、「フカセ釣りモード」から「通常実釣モード」への切換えによって、棚カラ表示部４５は「通常実釣モード」での表示状態に復帰する。
そして、クラッチレバー２３の下方への移動操作でクラッチ機構をＯＦＦにして仕掛けを潮の流れに乗せて繰り出していけばよく、この繰出しに伴い、マイクロコンピュータ１９のＣＰＵは、リードスイッチ２７から取り込むスプール９の回転パルス信号を基に糸長を求めて上カラ表示部４３に表示させる。
【００２５】
而して、斯様に潮の流れに乗せて仕掛けを繰り出している最中に、例えば１００ｍ繰り出した処で魚が掛かって、釣人がハンドル１３を巻取り方向へ回転させてクラッチ機構をクラッチＯＮに切換えると、マグネットによりリードスイッチ４９がＯＮとなってその釣糸巻取り状態の検出信号がマイクロコンピュータ１９に入力される。
そして、マイクロコンピュータ１９のＣＰＵは、斯様にリードスイッチ４９の検出信号を入力すると、その検出時点の糸長「１００ｍ」を魚信位置としてマイクロコンピュータ１９のＲＡＭに記憶させると共に、図５の如く棚カラ表示部４５に糸長「１００ｍ」を魚信位置情報として点滅表示させることとなる。
【００２６】
従って、魚を取り込んだ後、再度クラッチレバー２３をクラッチＯＦＦ操作して仕掛けを繰り出す際に、魚が掛かった前回のポイント「１００ｍ」が棚カラ表示部４５で確認できるため、上カラ表示部４３の表示（糸長計測値）を見乍ら仕掛けを繰り出して同じポイントを攻めればよく、また、斯様に前回のポイントが解るため、釣糸の繰出しに伴い、魚の掛かるタイミングがある程度予測できることとなる。
【００２７】
このように本実施形態に係る魚釣用リール４７は、「通常実釣モード」で従来の魚釣用リールと同様の操作で釣りを行うことができることは勿論、「フカセ釣りモード」でフカセ釣りを行う際に、魚が掛かった前回のポイントが確認できるため、効率的に同じポイントを繰り返し攻めることが可能となって、従来に比し釣果が向上する利点を有する。
而も、このように魚が掛かった前回のポイントが明瞭となるため、魚の掛かるタイミングを予測でき、この結果、バックラッシュ現象等に対する心構え，準備ができることとなって、トラブルを未然に回避することができる利点を有する。
【００２８】
尚、上記実施形態では、「フカセ釣りモード」でのスプール９の釣糸繰出し状態から釣糸巻取り状態への状態変化の検出を、マグネットとリードスイッチ４９を用いて、クラッチレバー２３によるクラッチ機構のクラッチＯＮからクラッチＯＦＦへの切換え動作の検出によって行ったが、その他の検出方法として請求項１及び請求項３に係る発明の一実施形態の如く、既述した回転検出手段２５の検出結果を基に、例えばスプール９が巻取り方向へ５回転以上回転したとき、マイクロコンピュータ１９のＣＰＵがその検出時点の糸長を魚信位置としてＲＡＭに記憶させると共に、棚カラ表示部４５に斯かる糸長を魚信位置情報として点滅表示させてもよいし、また、既述した糸長計測値を基に、例えば釣糸が１ｍ以上巻き取られたときに、マイクロコンピュータ１９のＣＰＵがその検出時点の糸長を魚信位置としてＲＡＭに記憶させると共に、棚カラ表示部４５に斯かる糸長を魚信位置情報として点滅表示させてもよく、これらの各実施形態によっても、上記実施形態と同様、所期の目的を達成することが可能である。
【００２９】
また、従来、この種の魚釣用リールでは、例えば特開平１１−２２５６３４号公報に開示されるように操作パネル上にクラッチスイッチを装着すると共に、リール本体内にクラッチモータを装着し、当該クラッチスイッチの操作でクラッチモータを作動させてクラッチ機構を釣糸巻取り状態と釣糸繰出し状態とに切り換えたり、クラッチモータに代えスプールモータを利用し、クラッチスイッチの操作でスプールモータを作動させてクラッチ機構を釣糸巻取り状態と釣糸繰出し状態とに切り換える構造が知られており、この種の構造では、例えばマグネットとリードスイッチによりクラッチ機構のＯＮ／ＯＦＦを検出してクラッチモータやスプールモータのＯＮ／ＯＦＦを制御している。
【００３０】
そこで、斯かるクラッチ機構のＯＮ／ＯＦＦ検出を利用して、スプール９の釣糸繰出し状態から釣糸巻取り状態への状態変化を検出させてもよい。
更にまた、図１の実施形態では、魚信位置情報を棚カラ表示部４５に表示させたが、表示器内に魚信位置表示部を別途設けてもよいし、また、コマセタイマ表示部を有する表示器にあっては、当該コマセタイマ表示部に魚信位置情報を表示させてもよい。
【００３１】
そして、本発明は、既述した電動リールの他、両軸受リール等に適用できることは勿論である。
【図面の簡単な説明】
【００３２】
【図１】請求項１及び請求項２の一実施形態に係る魚釣用リールの正面図である。
【図２】図１に示す魚釣用リールの制御ブロック図である。
【図３】モードの切換え状態を示すフローチャートである。
【図４】通常実釣モードでの表示器の表示状態の説明図である。
【図５】フカセ釣りモードでの表示器の表示状態の説明図である。
【符号の説明】
【００３３】
１  フレーム
３  リール本体
９  スプール
１１  スプールモータ
１３  ハンドル
１５  パワーレバー
１７  制御ボックス
１９  マイクロコンピュータ
２３  クラッチレバー
２５  回転回転検出手段
２７，４９  リードスイッチ
２９  マグネット
３３  操作パネル
３５  表示器
３７  リセットスイッチ
３９  モード切換えスイッチ
４１  棚メモスイッチ
４３  上カラ表示部
４５  棚カラ表示部
４７  魚釣用リール
【図１】
2005160448.tif 000003
【図２】
2005160448.tif 000004
【図３】
2005160448.tif 000005
【図４】
2005160448.tif 000006
【図５】
2005160448.tif 000007